(57)【要約】【課題】  携帯電話の筐体の音孔の部分の内側に設けられた防水膜の上面に付着した砂や塵埃等を容易に除去することができるようにする。【解決手段】  筐体１に設けられた音孔３は複数であって互いに平行する長孔からなっている。防水膜６の上面に砂や塵埃等からなる異物９が付着した場合には、刷毛１０の毛先を音孔３内に挿入して音孔３の長さ方向に移動させると、防水膜６の上面に付着した異物９を容易に除去することができる。なお、筐体に開口部を設け、この開口部を、音孔を有する取り外し可能なカバーで覆い、このカバーの下面に防水膜を設け、防水膜の上面に異物が付着したとき、カバーと共に防水膜を新品と交換するようにしてもよい。【選択図】図３
2013131840.tif 000002
【特許請求の範囲】
【請求項１】
複数であって互いに平行する長孔からなる音孔を有する物体と、前記物体の音孔の部分の内側に設けられた防水膜、前記防水膜の内側に設けられた電気音響変換装置とを備えていることを特徴とする携帯型電子機器。
【請求項２】
請求項１に記載の発明において、前記物体は筐体であることを特徴とする携帯型電子機器。
【請求項３】
請求項１に記載の発明において、前記物体の音孔の部分に対応する部分に開口部を有する筐体を有し、前記物体は、前記筐体の外面に前記筐体の開口部を覆うように且つ取り外し可能に設けられたカバーであることを特徴とする携帯型電子機器。
【請求項４】
請求項１〜３のいずれかに記載の発明において、前記音孔の長さ方向両端部は内側から外側に向かって傾斜する傾斜面となっていることを特徴とする携帯型電子機器。
【請求項５】
請求項４に記載の発明において、前記防水膜は前記物体の前記音孔の部分の内面にリング状の両面接着テープを介して固着され、前記両面接着テープの内周面は前記傾斜面の下部エッジと同一位置に配置されていることを特徴とする携帯型電子機器。
【請求項６】
開口部を有する筐体と、前記筐体の開口部の内側に設けられた電気音響変換装置と、前記筐体の外面に前記筐体の開口部を覆うように且つ取り外し可能に設けられ、前記筐体の開口部に対応する部分に音孔を有するカバーと、前記カバーの内側に設けられた防水膜とを備えていることを特徴とする携帯型電子機器。
【請求項７】
請求項６に記載の発明において、前記音孔は複数の小円孔からなることを特徴とする携帯型電子機器。
【請求項８】
請求項６に記載の発明において、前記音孔は互いに平行する複数の長孔からなることを特徴とする携帯型電子機器。
【請求項９】
請求項８に記載の発明において、前記音孔の長さ方向両端部は内側から外側に向かって傾斜する傾斜面となっていることを特徴とする携帯型電子機器。
【請求項１０】
請求項９に記載の発明において、前記防水膜は前記カバーの前記音孔の部分の内面にリング状の両面接着テープを介して固着され、前記両面接着テープの内周面は前記傾斜面の下部エッジと同一位置に配置されていることを特徴とする携帯型電子機器。
【発明の詳細な説明】
【技術分野】
【０００１】
この発明は、電気音響変換装置を備えた携帯電話等の携帯型電子機器に関する。
【背景技術】
【０００２】
従来の携帯電話には、音孔を有する筐体の音孔部分の内側に電気音響変換装置が設けられたものがある（例えば、特許文献１参照）。特許文献１に記載の携帯電話では、筐体の音孔部分の内側にリング状の両面接着テープを介して防水膜が設けられ、防水膜の下面にリング状のスポンジを介して電気音響変換装置が設けられている。この携帯電話では、電気音響変換装置の上面が防水膜で完全に覆われているので、電気音響変換装置の上面に水や塵埃等が付着するのを確実に防止することができる。
【先行技術文献】
【特許文献】
【０００３】
【特許文献１】特開２００２−１６３７１号公報
【発明の概要】
【発明が解決しようとする課題】
【０００４】
しかしながら、上記従来の携帯電話では、電気音響変換装置の上面に水や塵埃等が付着するのを確実に防止することができるが、砂や塵埃等が音孔を介して侵入して防水膜の上面に付着すると、この付着した砂や塵埃等を除去することは極めて困難であり、音響特性劣化の原因となってしまうという問題がある。
【０００５】
そこで、この発明は、防水膜の上面に付着した砂や塵埃等を容易に除去することができる携帯型電子機器を提供することを目的とする。
【課題を解決するための手段】
【０００６】
この発明に係る携帯型電子機器は、複数であって互いに平行する長孔からなる音孔を有する物体と、前記物体の音孔の部分の内側に設けられた防水膜と、前記防水膜の内側に設けられた電気音響変換装置とを備えていることを特徴とするものである。
この発明に係る他の携帯型電子機器は、開口部を有する筐体と、前記筐体の開口部の内側に設けられた電気音響変換装置と、前記筐体の外面に前記筐体の開口部を覆うように且つ取り外し可能に設けられ、前記筐体の開口部に対応する部分に音孔を有するカバーと、前記カバーの内側に設けられた防水膜とを備えていることを特徴とするものである。
【発明の効果】
【０００７】
この発明によれば、防水膜の上面に付着した砂や塵埃等を容易に除去することができる。
【図面の簡単な説明】
【０００８】
【図１】この発明の第１実施形態としての携帯電話の一部の平面図。
【図２】図１のII−II線に沿う一部の断面図。
【図３】（Ａ）および（Ｂ）は防水膜の上面に付着した砂や塵埃等の異物の除去を説明するために示す断面図。
【図４】この発明の第２実施形態としての携帯電話の一部の平面図。
【図５】図４のＶ−Ｖ線に沿う一部の断面図。
【図６】この発明の第３実施形態としての携帯電話の一部の平面図。
【図７】図６のVII−VII線に沿う一部の断面図。
【発明を実施するための形態】
【０００９】
（第１実施形態）
図１はこの発明の第１実施形態としての携帯電話の一部の平面図を示し、図２は図１のII−II線に沿う一部の断面図を示す。この携帯電話は筐体１を備えている。筐体（物体）１の一の平板部２の所定の領域には複数の音孔３が設けられている。この場合、複数の音孔３は、所定の仮想円内において、互いに平行する長孔からなっている。音孔３の長さ方向両端部は、内側から外側に向かって傾斜する傾斜面４となっている。
【００１０】
音孔３の周囲における筐体１の一の平板部２の内面にはリング状の両面接着テープ５を介して円形状の防水膜６の上面外周部が固着されている。防水膜６は、空気は通すが水は通さないポリエチレンテレフタレートやポリエチレン等の樹脂フィルムによって形成されている。この場合、両面接着テープ５の内周面は傾斜面４の下部エッジと同一位置に配置されている。
【００１１】
防水膜６の下面外周部にはリング状の両面接着テープ７を介して円形状の電気音響変換装置８の上面外周部が固着されている。電気音響変換装置８は、磁気回路を有する動電型であってもよく、また圧電膜を有する圧電型であってもよい。
【００１２】
さて、今、図３（Ａ）に示すように、筐体１の音孔３から砂や塵埃等の異物９が侵入し、この侵入した異物９が防水膜６の上面に付着したとする。このような場合には、音孔３は複数であって互いに平行する長孔からなっているので、例えば図３（Ｂ）に示すように、刷毛１０の毛先を音孔３内に挿入して音孔３の長さ方向に移動させると、防水膜６の上面に付着した異物９が刷毛１０の毛先で弾かれて筐体１の外部に取り除かれる。
【００１３】
この場合、両面接着テープ５の内周面は傾斜面４の下部エッジと同一位置に配置されており、且つ、音孔３の長さ方向両端部は内側から外側に向かって傾斜する傾斜面４となっているので、両面接着テープ５の内周面近傍における防水膜６の上面に付着した異物９も刷毛１０の毛先で弾くことができ、且つ、傾斜面４が異物９排除のガイド面として機能し、これにより防水膜６の上面に付着した異物１０を容易に且つ確実に除去することができる。
【００１４】
（第２実施形態）
図４はこの発明の第２実施形態としての携帯電話の一部の平面図を示し、図５は図４のＶ−Ｖ線に沿う一部の断面図を示す。この携帯電話において、図１および図２に示す携帯電話と大きく異なる点は、防水膜２０を交換可能とした点である。
【００１５】
すなわち、この携帯電話では、筐体１１の一の平板部１２の所定の箇所に円形状の開口部１３が設けられている。開口部１３の内壁面の途中にはリング状の支持用突起１４が設けられている。支持用突起１４の下面にはリング状の両面接着テープ１５を介して円形状の電気音響変換装置１６の上面外周部が固着されている。
【００１６】
開口部１３を含むその周囲における一の平板部１２の上面には、開口部１３を覆うための長円形状のカバー１６が２本のネジ１７によって取り外し可能に取り付けられている。カバー１６の中央部の円形状の領域には複数の小円孔からなる音孔１８が設けられている。音孔１８の周囲におけるカバー１６の下面にはリング状の両面接着テープ１９を介して円形状の防水膜２０の上面外周部が固着されている。この状態では、両面接着テープ１９および防水膜２０は開口部１３の内部に配置されている。
【００１７】
さて、この携帯電話では、カバー１６の音孔１８から砂や塵埃等の異物が侵入し、この侵入した異物が防水膜２０の上面に付着した場合には、ネジ１７を取り外し、次いでカバー１６をその下面に固着された防水膜２０と共に取り外し、新品の防水膜２０を含むカバー１６を筐体１にネジ１７によって取り付けると、古い防水膜２０を含むカバー１６を新品と交換することができる。したがって、古い防水膜２０の上面に付着した異物を古い防水膜２０と共に容易に且つ確実に除去することができる。
【００１８】
（第３実施形態）
図６はこの発明の第３実施形態としての携帯電話の一部の平面図を示し、図７は図６のVII−VII線に沿う一部の断面図を示す。この携帯電話において、図４および図５に示す携帯電話と異なる点は、カバー１６の音孔１８を、図１および図２に示す音孔３と同様に、傾斜面（４）を有する長孔とした点である。すなわち、カバー（物体）１６の中央部の円形状の領域には、複数であって互いに平行する長孔からなる音孔１８が設けられている。
【００１９】
この携帯電話では、通常、上記第１実施形態の場合と同様に、防水膜２０の上面に付着した異物を刷毛を用いて除去するが、防水膜２０の上面に異物がこびりつき、このこびりついた異物を刷毛を用いて除去することができない場合には、カバー１６を防水膜２０と共に取り外し、新品と交換することができる。
【００２０】
なお、この発明は、携帯電話に限らず、ＰＨＳ（Personal Handyphone System）、ＰＤＡ（Personal Data Assistance, Personal Digital Assistance:個人向け携帯型情報通信機器）等の携帯端末機器等の電子機器にも適用することができる。
【００２１】
以下、この発明の諸態様を付記としてまとめて記載する。
【００２２】
（付記１）
付記１の発明は、複数であって互いに平行する長孔からなる音孔を有する物体と、前記物体の音孔の部分の内側に設けられた防水膜、前記防水膜の内側に設けられた電気音響変換装置とを備えていることを特徴とする携帯型電子機器である。
【００２３】
（付記２）
付記２の発明は、付記１に記載の発明において、前記物体は筐体であることを特徴とする携帯型電子機器である。
【００２４】
（付記３）
付記３の発明は、付記１に記載の発明において、前記物体の音孔の部分に対応する部分に開口部を有する筐体を有し、前記物体は、前記筐体の外面に前記筐体の開口部を覆うように且つ取り外し可能に設けられたカバーであることを特徴とする携帯型電子機器である。
【００２５】
（付記４）
付記４の発明は、付記１〜３のいずれかに記載の発明において、前記音孔の長さ方向両端部は内側から外側に向かって傾斜する傾斜面となっていることを特徴とする携帯型電子機器である。
【００２６】
（付記５）
付記５の発明は、付記４に記載の発明において、前記防水膜は前記物体の前記音孔の部分の内面にリング状の両面接着テープを介して固着され、前記両面接着テープの内周面は前記傾斜面の下部エッジと同一位置に配置されていることを特徴とする携帯型電子機器である。
【００２７】
（付記６）
付記６の発明は、開口部を有する筐体と、前記筐体の開口部の内側に設けられた電気音響変換装置と、前記筐体の外面に前記筐体の開口部を覆うように且つ取り外し可能に設けられ、前記筐体の開口部に対応する部分に音孔を有するカバーと、前記カバーの内側に設けられた防水膜とを備えていることを特徴とする携帯型電子機器である。
【００２８】
（付記７）
付記７の発明は、付記６に記載の発明において、前記音孔は複数の小円孔からなることを特徴とする携帯型電子機器である。
【００２９】
（付記８）
付記８の発明は、付記６に記載の発明において、前記音孔は互いに平行する複数の長孔からなることを特徴とする携帯型電子機器である。
【００３０】
（付記９）
付記９の発明は、付記８に記載の発明において、前記音孔の長さ方向両端部は内側から外側に向かって傾斜する傾斜面となっていることを特徴とする携帯型電子機器である。
【００３１】
（付記１０）
付記１０の発明は、付記９に記載の発明において、前記防水膜は前記カバーの前記音孔の部分の内面にリング状の両面接着テープを介して固着され、前記両面接着テープの内周面は前記傾斜面の下部エッジと同一位置に配置されていることを特徴とする携帯型電子機器である。
【符号の説明】
【００３２】
１、１１  筐体
２、１２  一の平板部
３、１８  音孔
４  傾斜面
５、７、１５、１９  両面接着テープ
６、２０  防水膜
８、１６  電気音響変換装置
９  異物
１０  刷毛
１３  開口部
１７  ネジ
【図１】
2013131840.tif 000003
【図２】
2013131840.tif 000004
【図３】
2013131840.tif 000005
【図４】
2013131840.tif 000006
【図５】
2013131840.tif 000007
【図６】
2013131840.tif 000008
【図７】
2013131840.tif 000009